(57)【特許請求の範囲】
【請求項１】
肌当接側に位置する透液性表面シートと肌非当接側に位置する不透液性裏面シートとの間に吸収材が介在してなる使い捨ての吸液性物品であって、
前記表面シートが、実質的に非伸縮性シートから形成され、前記裏面シートが、５０％以上弾性的に伸長可能なシートから形成され、前記裏面シートの５０％伸長応力が、前記表面シートの引張破断応力の５０％以下であり、
前記物品では、前記表面シートの内面に該表面シートよりも高い親水性を有する中間シートが当接し、前記表裏面シートと前記中間シートとが互いに平行して延びる複数条の帯域において接合され、
隣接する各二条の前記帯域の間では、前記表面シートと前記中間シートとの帯域間寸法が２〜７ｍｍの範囲にあり、前記裏面シートの帯域間寸法を前記表面シートと前記中間シートとの帯域間寸法の１．２〜３．０倍にすることにより、前記表面シートと前記中間シートとが平坦であって前記裏面シートが前記物品の表面から裏面へ向かう方向へ湾曲して前記帯域に沿って延びる多数の管状部を形成し、前記中間シートが前記管状部の延びる方向へ前記表面シートよりも高い体液拡散性を有し、前記管状部に高吸水性ポリマー粒子を５〜９８重量％含む前記吸液材が収容されていることを特徴とする前記物品。
【発明の詳細な説明】
【０００１】
【発明の属する技術分野】
この発明は、使い捨ておむつ、生理用ナプキン、パンティーライナー、吸尿パッド、吸血パッド等として使用するのに好適な使い捨ての吸液性物品に関する。
【０００２】
【従来の技術】
特開平６−９０９７７号公報に開示のシート吸収体は、不透液性の弾性体シートと透液性の不織布と吸収材とで構成されている。弾性体シートと不織布とは、平行して延びる複数条の帯域で接合されている。隣接する帯域間では、不織布の幅を弾性体シートのそれよりも大きくすることによって、チャンネルが形成されている。チャンネルのそれぞれには、吸水性ポリマーを含む吸収材が収容されている。かかるシート吸収体は、不織布を肌に当接させるようにしておむつや生理用ナプキンに使用されるので、体液を吸収した吸水性ポリマーは、膨潤してチャンネル内の空隙を満たし、さらに弾性体シートを伸長させ、チャンネルをふくらませる。
【０００３】
【発明が解決しようとする課題】
前記従来の吸収体は、吸水性ポリマーが膨潤して、吸収剤が各チャンネルに充満するようになると、弾性体シートが伸長する前に幅が広い不織布の側がふくらみ、畝を形成し、畝の頂部が着用者の肌に当接するようになる。このようなシート吸収体では、吸収材が充満したチャンネルの剛性が高くなり、畝の頂部で肌を局部的に強く圧迫して不快感を募らせることがある。
【０００４】
そこで、この発明では、前記従来技術のように肌が局部的に圧迫される恐れがない使い捨ての吸液性物品の提供を課題にしている。
【０００５】
【課題を解決するための手段】
前記課題を解決するために、この発明が前提とするのは、肌当接側に位置する透液性表面シートと肌非当接側に位置する不透液性裏面シートとの間に吸収材が介在してなる使い捨ての吸液性物品である。
【０００６】
かかる前提において、この発明が特徴とするところは、前記表面シートが、実質的に非伸縮性シートから形成され、前記裏面シートが、５０％以上弾性的に伸長可能なシートから形成され、前記裏面シートの５０％伸長応力が、前記表面シートの引張破断応力の５０％以下であり、前記物品では、前記表面シートの内面に該表面シートよりも高い親水性を有する中間シートが当接し、前記表裏面シートと前記中間シートとが互いに平行して延びる複数条の帯域において接合され、隣接する各二条の前記帯域の間では、前記表面シートと前記中間シートとの帯域間寸法が２〜７ｍｍの範囲にあり、前記裏面シートの帯域間寸法を前記表面シートと前記中間シートとの帯域間寸法の１．２〜３．０倍にすることにより、前記表面シートと前記中間シートとが平坦であって前記裏面シートが前記物品の表面から裏面へ向かう方向へ湾曲して前記帯域に沿って延びる多数の管状部を形成し、前記中間シートが前記管状部の延びる方向へ前記表面シートよりも高い体液拡散性を有し、前記管状部に高吸水性ポリマー粒子を５〜９８重量％含む前記吸液材が収容されていること、ある。
【０００７】
【０００８】
【０００９】
【発明の実施の形態】
添付の図面を参照して、この発明に係る使い捨ての吸液性物品の詳細を説明すると、以下のとおりである。
【００１０】
図１は、吸液性物品の一例であるパンティライナー１の部分図であって、一部が破断して示されている。
【００１１】
図２は、図１のＩＩ−ＩＩ線部分断面図である。
【００１２】
図１，２において、パンティライナー１は、肌当接側に位置する透液性表面シート２と、肌非当接側に位置する不透液性裏面シート３と、表裏面シート２，３の間に介在する吸液材４とから構成されている。表面シート２は、内面６と外面７とを有し、平坦な状態にある。裏面シート３は、内面８と外面９とを有し、パンティライナー１の幅方向（図の左右方向）で起伏を繰り返し、コルゲート構造を呈している。表面シート２の内面６と裏面シート３のコルゲートの頂部における内面８とは、パンティライナー１の前後方向へ延びる多数の帯域１１において接合されている。隣接する各二条の帯域１１の間では、裏面シート３の帯域間寸法を表面シート２の帯域間寸法よりも大きくすることにより、裏面シート３がパンティライナー１の表面から裏面へ向かう方向へ湾曲して帯域１１に沿って延びる多数の管状部１０を形成している。なお、表面シート２は、平坦である。管状部１０には、吸液材４が収容されている。隣接する帯域１１どうしは、所要の離間距離ｄ１をあけて互いに平行しており、その離間距離ｄ１は管状部１０における表面シート２の幅（帯域間寸法）に等しい。帯域１１の間における裏面シート３の幅（帯域間寸法）は、ｄ１よりも大きく、好ましくはｄ１の１．２〜３．０倍の範囲にある。離間距離ｄ１は、吸液性物品が図示例のパンティライナー１である場合、２〜７ｍｍの範囲にあることが特に好ましい。また、距離ｄ１がそのような値であるときの帯域１１の幅ｄ２は、０．１〜３ｍｍの範囲にあることが好ましい。
【００１３】
吸液材４は、高吸水性ポリマー粒子を５〜９８重量％含む他に、粉砕パルプや疎水性の熱可塑性合成繊維、粉砕パルプと熱可塑性合成繊維の混合物を９５〜２重量％含む。
【００１４】
表面シート２には、不織布や開孔プラスチックフィルム等のシート素材であって、実質的に非伸縮性のものが使用される。
【００１５】
裏面シート３は、少なくともパンティライナー１の幅方向、すなわち帯域１１の延びる方向と直交する方向へ５０％以上の弾性的に伸長可能なゴムやエラストマー等のシートであって、５０％伸長時における伸長応力が表面シート２の引張破断応力の５０％以下のものが使用される。
【００１６】
帯域１１における表面シート２と裏面シート３との接合には、ホットメルト接着剤等の接着剤を使用することができる。また、これらシート２，３のうちの少なくとも一方が熱溶融性のものである場合には、溶着技術を利用することもできる。かかる技術には、超音波溶着技術も含まれる。
【００１７】
このように構成されたパンティライナー１は、高吸水性ポリマーが体液の吸収によって膨潤し、吸液材４が管状部１０に充満すると、比較的伸長応力の小さい裏面シート３が図２の仮想線の如く伸長する。表面シート２は、裏面シート３が伸長しても実質的に伸長することがない非伸長性のものであって、高吸水性ポリマーが膨潤しても平坦な状態を保っており、着用者の肌に対する当接状態に殆ど変化がない。なお、パンティライナー１は、その四周において表裏面シート２，３を接着したり溶着したりすることによって、吸液材４をそれが管状部１０からこぼれ出ることがないように収容している。
【００１８】
パンティライナー１では、幅ｄ１が異なる複数の管状部１０を様々に組み合わせることができる。例えば、幅ｄ１の大きい管状部１０と小さい管状部１０とを交互に並べたり、幅ｄ１が大きい複数の管状部１０で一群を形成し、その一群に隣接して幅ｄ１が小さい複数の管状部１０の一群を配置することもできる。
【００１９】
図３は、この発明の一実施態様を示す図２と同様の図面である。このパンティライナー１では、表面シート２の内面に中間シート１６が当接している。隣接する各二条の帯域１１の間では、裏面シート３の帯域間寸法を表面シート２と中間シート１６との帯域間寸法よりも大きくすることにより、裏面シート３がパンティライナー１の表面から裏面へ向かう方向へ湾曲して帯域１１に沿って延びる多数の管状部１０を形成している。なお、表面シート２と中間シート１６とは、平坦である。管状部１０には、吸液材４が収容されている。中間シート１６は、表面シート２よりも高い親水性を有している。かかる中間シート１６は、さらに帯域１１が延びる方向、すなわち管状部１０が延びる方向への体液拡散性、より好ましくは当該方向における表面シート２の拡散性よりも高い拡散性を有している。中間シート１６の存在によって、表面シート２の外面７上の体液が、速やかに吸液材４へと移行したり、管状部１０の延びる方向へ拡散して広い範囲にわたって吸液材４と接触したりすることが可能になる。図示例の中間シート１６は、帯域１１においてホットメルト接着剤を介して表裏面シート２，３と接合している。中間シート１６は、隣接する帯域１１間において表面シート２と接合している場合がある。
【００２０】
この発明に係る吸液性物品は、パンティライナー１のみならず、使い捨ておむつ、生理用ナプキン、パンティーライナー、吸尿パッド、吸血パッドとしても使用することができる。
【００２１】
【発明の効果】
この発明に係る使い捨ての吸液性物品では、それが肌に当接して使用するものである場合には、高吸水性ポリマーを含む吸液材が膨潤すると、肌に当接していない弾性伸縮性の裏面シートが伸長して、肌に当接している表面シートは平坦な状態を維持しているから、高吸水性ポリマーの膨潤によって前記物品が着用者の肌を局部的に圧迫するという恐れがない。
【００２２】
表面シートの内面に高親水性の中間シートが接合している態様の物品では、表面シート外面上の体液等の液体を速やかに吸液材へ移行させることが可能になる。この高親水性中間シートが液拡散性のものであれば、管状部内の広い範囲の吸液材で体液等を吸収することが容易になり、当該物品の吸液速度が向上する。
【図面の簡単な説明】
【図１】  吸液性物品（パンティライナー）の一部を破断して示す部分図。
【図２】  図１のＩＩ−ＩＩ線断面図。
【図３】  実施態様の一例を示す図２と同様の図面。
【符号の説明】
１          吸液性物品（パンティライナー）
２          透液性表面シート
３          不透液性裏面シート
４          吸液材
６          内面
１０          管状部
１１          帯域
１６          中間シート
【図１】
0003732320.tif 000002
【図２】
0003732320.tif 000003
【図３】
0003732320.tif 000004